(57)【要約】【課題】プラズマディスプレイ装置のためのモジュール化された印刷基板組立体、それを備えたプラズマディスプレイ装置、及びその製造方法を提供する。【解決手段】プレート形状を有し、シャーシベースに固定されたフレームと、フレーム上に装着され、複数の電子部品が実装された複数の印刷基板組立体とを備えるプラズマディスプレイ装置のためのモジュール化された印刷基板組立体であり、モジュール化された印刷基板組立体を備えたプラズマディスプレイ装置、及びその製造方法である。【選択図】図２
2006113536.tif 000002
【特許請求の範囲】
【請求項１】
プレート形状を有し、シャーシベースに固定されるフレームと、
前記フレーム上に装着され、複数の電子部品が実装された複数の印刷基板組立体と、
を備えることを特徴とするプラズマディスプレイ装置のためのモジュール化された印刷基板組立体。
【請求項２】
前面基板と背面基板とを備えるプラズマディスプレイパネルと、
前記プラズマディスプレイパネルの背面に配置されるシャーシベースと、
前記シャーシベースに固定され、プレート形状を有するフレームと、
前記フレーム上に装着され、複数の電子部品が実装された複数の印刷基板組立体と、
を備えることを特徴とするプラズマディスプレイ装置。
【請求項３】
複数の電子部品が実装されている複数の印刷基板組立体を、プレート形状のフレームに装着させる段階と、
前記フレームをプラズマディスプレイ装置のシャーシベースに固定させる段階と、
を備えることを特徴とするプラズマディスプレイ装置の製造方法。
【発明の詳細な説明】
【技術分野】
【０００１】
本発明は、プラズマディスプレイ装置のためのモジュール化された印刷基板組立体、それを備えたプラズマディスプレイ装置、及びその製造方法に係り、さらに詳細にはフレームに装着されることによってモジュール化された印刷基板組立体、及びそれを備えたプラズマディスプレイ装置に関する。
【背景技術】
【０００２】
プラズマディスプレイ装置は、ガス放電現象を利用して画像を表示する平板ディスプレイ装置であり、表示容量、輝度、コントラスト、残像、及び視野角などの各種表示能力にすぐれ、薄型であり、かつ大画面表示が可能あり、陰極線管（ＣＲＴ）を代替できる次世代大型平板ディスプレイ装置として脚光を浴びている。プラズマディスプレイ装置には、ガラス基板より構成されたプラズマディスプレイパネル（ＰＤＰ）、及び前記パネルを支持するためのシャーシベースが備えられている。
【０００３】
図１に図示されたのは、一般的なプラズマディスプレイ装置の一部についての概略的な斜視図である。
【０００４】
図面を参照すれば、ＰＤＰは、前面基板１１と背面基板１２とを備え、前記背面基板１２の背面には、熱伝逹用シート４１が取り付けられている。ＰＤＰは、一般的にアルミニウムのような金属材料で製作されたシャーシベース１３によって支持される。ＰＤＰは、両面テープ（図示せず）を利用してシャーシベース１３の前面に設置される。
【０００５】
シャーシベース１３の背面には、印刷基板組立体１４、１６、１７が設置される。この、印刷基板組立体１４、１６、１７は、シャーシベース１３の表面に装着されたスタッド１９によって、シャーシベース１３の平面から離隔されて支持される。印刷基板組立体１４、１６、１７上には、多様な電子部品１５が備えられる。前記印刷基板組立体のうち、符号１６、及び１７で示したものは、バッファ印刷基板組立体であり、図示しない信号伝達用ケーブルにより、前面基板１１または背面基板１２に備えられた電極と、前記バッファ印刷基板組立体１６，１７に備えられた接続用コネクタ（図示せず）とが接続される。図１に示した各構成要素は、図示されていないケース部材の内部空間に設置される。
【０００６】
図１を参照して説明されたようなプラズマディスプレイ装置では、複数の印刷基板組立体１４がシャーシベース１３の背面に直接的に装着されるので、印刷基板組立体１４を装着する際の作業に多くの時間を要するという問題点がある。特に、印刷基板組立体１４は、シャーシベース１３に固定されたスタッド１９に対してネジ止めされることによって固定されるので、印刷基板組立体１４の数が増えれば、締結するネジの数も増加し、それによって作業時間が長くなるという問題点がある。組立作業時間の延長は、生産性低下とコストアップとを引き起こしてしまう。
【発明の開示】
【発明が解決しようとする課題】
【０００７】
本発明は、上記のような問題点を解決するために案出されてものであり、本発明の目的は、プラズマディスプレイ装置のためのモジュール化された印刷基板組立体を提供することである。
【０００８】
本発明の他の目的は、モジュール化された印刷基板組立体を備えたプラズマディスプレイ装置を提供することである。
【０００９】
本発明の更に他の目的は、モジュール化された印刷基板組立体の製造方法を提供することである。
【課題を解決するための手段】
【００１０】
上記の目的を達成するために、本発明によれば、プレート形状を有し、シャーシフレームに固定さたフレームと、前記フレーム上に装着され、複数の電子部品が実装された複数の印刷基板組立体とを備えるプラズマディスプレイ装置のためのモジュール化された印刷基板組立体が提供される。
【００１１】
また本発明によれば、前面基板と背面基板とを備えるＰＤＰと、前記ＰＤＰの背面に配置されるシャーシベースと、前記シャーシフレームに固定され、プレート形状を有するフレームと、前記フレーム上に装着され、複数の電子部品が実装されている複数の印刷基板組立体とを備えるプラズマディスプレイ装置が提供される。
【００１２】
また本発明によれば、複数の電子部品が実装されている複数の印刷基板組立体をプレート形状のフレームに装着させる段階と、前記フレームをプラズマディスプレイ装置のシャーシベースに固定させる段階とを備えるプラズマディスプレイ装置の製造方法が提供される。
【発明の効果】
【００１３】
本発明によるモジュール化された印刷基板組立体、それを備えたプラズマディスプレイ装置、及びその製造方法は、印刷基板組立体をフレームに装着させたモジュールを利用するので、組立工程が迅速、かつ簡便になる。
【発明を実施するための最良の形態】
【００１４】
以下、添付した図面を参照して、本発明の実施形態を詳細に説明する。図２は、本発明の一実施形態に係るモジュール化された印刷基板組立体を備えたプラズマディスプレイ装置の概略的な分解斜視図である。
【００１５】
図面を参照すれば、プラズマディスプレイパネル（ＰＤＰ）は、前面基板２１と背面基板２２とを備え、背面基板２２の背面には、熱伝逹用シート２４が装着されている。ＰＤＰは、アルミニウムのような金属材料で作成されたシャーシベース２３によって支持される。ＰＤＰは、両面テープ（図示せず）を利用し、シャーシベース２３の前面に取り付けられる。
【００１６】
本発明の特徴によれば、シャーシベース２３の背面には、複数の印刷基板組立体が装着されたフレーム２５が設置される。フレーム２５は、プラスチック材料にて製造されることが望ましく、プレート形態を有することが望ましい。フレーム２５は、シャーシベース２３から、スタッド３２によって離隔されて支持されることが望ましい。
【００１７】
フレーム２５の上には、印刷基板組立体２８，３０，３１が装着されている。印刷回路基板のうち、符号２８と３１で示したものは、バッファ印刷回路組立体であり、信号伝達用ケーブルが前面基板２１または背面基板２２に備えられた電極と、前記バッファ印刷基板組立体２８，３１に備えられた接続コネクタ２７とを接続する。
【００１８】
バッファ印刷基板組立体２８，３１には、接続コネクタ２７が設置されており、前記接続コネクタ２７に信号伝達用ケーブル２６が接続される。信号伝達用ケーブル２６の一端部は、背面基板２２に形成された電極に接続される。前面基板２１に接続された信号伝達用ケーブルは、図示を省略している。他の印刷基板組立体３０の上には、プラズマディスプレイ装置の駆動に必要な複数且つ多種の電子部品２９が装着されている。
【００１９】
図２に図示したような基板からなるＰＤＰとシャーシベースとフレーム、及び前記フレームに装着された印刷基板組立体は、ケース（図示せず）内に設置されることによって、プラズマディスプレイ装置を形成する。
【００２０】
前述のように、本発明の特徴によるフレーム２５と印刷基板組立体２８，３０，３１は、１つのモジュールをなして提供される。即ち、フレーム２５をシャーシベース２３に組み立てる工程前に、フレーム２５上に印刷基板組立体２８，３０，３１を全て装着させることにより、プラズマディスプレイ装置用のモジュール化された印刷基板組立体を形成する。モジュール化された印刷基板組立体は、フレーム２５、及び前記フレーム２５上に装着され、複数の電子部品２９が実装されている複数の印刷基板組立体２８，３０，３１を備える。
【００２１】
モジュール化された印刷基板組立体を利用すれば、個別の印刷基板組立体をシャーシベース２３に組み立てる作業の工程が省略されるので、組み立て作業の工程を迅速且つ単純化することができる。個別の印刷基板組立体２８，３０，３１をシャーシベース２３に組み立てる工程は、図１に図示されたように、スタッド１９を利用して個々に作業者が組み立てなければならないので、作業工程に多くの時間を要するが、個別の印刷基板組立体２８，３０，３１をフレーム２５に装着する作業は、多様な方式で実施することができるので、従来に比べてはるかに選択の幅が広くなる。例えば、溶接、接着剤、両面テープ、ネジ止めのような方式で個別の印刷基板組立体２８，３０，３１をフレーム２５に装着することができる。
【００２２】
本発明は、図面に図示された実施例を参考に説明されたが、それは例示的なものに過ぎず、本技術分野の当業者ならば、それから多様な変形及び均等な他の実施例が可能であるということを理解できるであろう。従って、本発明の真の保護範囲は、特許請求範囲の技術的思想によって決まるものである。
【産業上の利用可能性】
【００２３】
本発明のプラズマディスプレイ装置のためのモジュール化された印刷基板組立体、それを備えたプラズマディスプレイ装置、及びその製造方法は、例えばプレズマディスプレイ関連技術分野に効果的に適用可能である。
【図面の簡単な説明】
【００２４】
【図１】一般的なプラズマディスプレイ装置の一部についての概略的な斜視図である。
【図２】本発明によるプラズマディスプレイ装置についての概略的な斜視図である。
【符号の説明】
【００２５】
２１  前面基板
２２  背面基板
２３  シャーシベース
２４  熱伝達用シート
２５  フレーム
２６  ケーブル
２７  接続コネクタ
２８，３０，３１  印刷基板組立体
２９    電子部品
【図１】
2006113536.tif 000003
【図２】
2006113536.tif 000004